(57)【特許請求の範囲】
【請求項１】
断面略コ字状の断熱壁と、該断熱壁の両側を閉塞する側板と、前記断熱壁の前壁上面に取り付けられた透明壁とで本体が構成され、該本体を構成する前記断熱壁内に上面が開口する陳列室を備えたショーケースにおいて、
前記断熱壁の後壁から間隔を存して背面板を取り付け、前記後壁と前記背面板とで冷気ダクトを形成し、
前記断熱壁の底部から間隔を存してデッキパンを取り付け、前記底部と前記デッキパンの間に前記冷気ダクトと連通する冷却室を形成し、
前記冷却室に冷却装置を構成する冷却器と送風機を設置し、前記デッキパンの前端と前記断熱壁の底壁との間に形成された冷気吸込口から前記陳列室の冷気を吸い込んで、前記冷却器と熱交換させた後、前記背面板の上端と前記断熱壁との間に形成された冷気吹出口より前記陳列室に冷気を吹き出しており、
前記冷気吹出口が設けられた前記透明壁とは反対側の前記陳列室の上面開口の略半分の領域を開閉自在に閉塞する透明扉装置を備え、前記透明壁が設けられた前記陳列室の前面上部を常時開放したことを特徴とするショーケース。
【請求項２】
前記透明扉装置は、前記本体に着脱可能に取り付けられていることを特徴とする請求項１に記載のショーケース。
【請求項３】
前記透明扉装置は、前記本体に取り付けられた枠体と、該枠体に摺動自在に載置された引き違い式の複数の透明扉板とを有することを特徴とする請求項１または請求項２に記載のショーケース。
【請求項４】
前記透明扉装置は、前記本体に取り付けられた枠体と、前記陳列室の上面開口の手前側の縁部が前記枠体に回動自在に枢支された回動式の透明扉板とを有することを特徴とする請求項１または請求項２に記載のショーケース。
【請求項５】
前記透明扉装置は、前記本体に取り付けられた枠体と、透明扉板とを有し、
前記枠体は、引き違い式の複数の前記透明扉板を摺動自在に載置する使用形態と、回動式の前記透明扉板の前記陳列室の上面開口の手前側の縁部を回動自在に枢支する使用形態とを選択的に実施可能とされていることを特徴とする請求項１または請求項２に記載のショーケース。
【発明の詳細な説明】
【技術分野】
【０００１】
本発明は、本体を構成する断熱壁内に上面が開口する陳列室を備えたショーケースに関する。
【背景技術】
【０００２】
従来より、本体に上面に開口する陳列室を設けたショーケースが採用されており、当該陳列室内を所定温度に冷却しながら、陳列室内に陳列された商品の陳列販売が行われている。陳列室内に供給された冷気は、陳列室内下部に滞留する傾向があるが、陳列室の上面が開口されることにより、外気温度の影響を受けやすく、また、当該ショーケースが設置されている施設内の空調設備などによる空気流や、人の往来等に起因する外乱の影響を受けやすい。そのため、陳列室内の冷却効率が悪いという問題がある。
【０００３】
そこで、例えば、特許文献１には、係る陳列室を被うようにして斜め前下方へ傾斜した透明の前壁と、後壁と、左右側壁と、前壁と後壁とに渡る上壁とにより構成されるキャノピーを設けたショーケースが示されている。係るショーケースでは、キャノピーを構成する後壁に例えばスライド式の引き戸が設けられており、当該後壁から販売員が商品を取り出して商品の販売を行う対面販売方式を行うことができる。
【０００４】
また、キャノピーを構成する前壁にも、後壁と同様にスライド式の引き戸が設けられており、当該前壁の引き戸を開放することによって、顧客自らに陳列室内に陳列された商品を取り出してもらう、所謂、セルフ販売方式を採用することができる。
【先行技術文献】
【特許文献】
【０００５】
【特許文献１】特開２００４−１７３９３２号公報
【発明の概要】
【発明が解決しようとする課題】
【０００６】
従来のショーケースでは、上面に開口した陳列室の上方を、透明壁にて構成されたキャノピーによって閉塞していることから、陳列室内への外乱の影響や、冷気の漏出を抑制することができるが、顧客自らが商品を手にとって商品選択を行う場合、必ず、前壁に設けられた引き戸を開放しなければならない。
【０００７】
そのため、顧客とショーケース内の商品との距離に隔たりが生じ、顧客が商品を手に取りにくい環境とされる。また、扉が設けられていることで、顧客がショーケース内の商品選択を行っている場合、他の顧客は、当該顧客がショーケースから離れてからでないとショーケース内の商品を手に取り難い環境でもあった。
【０００８】
そこで、本発明は、従来の技術的課題を解決するためになされたものであり、上面開口が開放された所謂平型のショーケースにおいて、外乱による冷却効率の低下を抑制しつつ、顧客とショーケース内の商品との距離を短くし、より一層、顧客が商品を手に取りやすい環境に商品を陳列することで、顧客の購買意欲向上を可能とするショーケースを提供する。
【課題を解決するための手段】
【０００９】
上記課題を解決するために、本発明は、断面略コ字状の断熱壁と、この断熱壁の両側を閉塞する側板と、断熱壁の前壁上面に取り付けられた透明壁とで本体が構成され、この本体を構成する断熱壁内に上面が開口する陳列室を備えたショーケースであって、断熱壁の後壁から間隔を存して背面板を取り付け、後壁と背面板とで冷気ダクトを形成し、断熱壁の底部から間隔を存してデッキパンを取り付け、底部とデッキパンの間に冷気ダクトと連通する冷却室を形成し、冷却室に冷却装置を構成する冷却器と送風機を設置し、デッキパンの前端と断熱壁の底壁との間に形成された冷気吸込口から陳列室の冷気を吸い込んで、冷却器と熱交換させた後、背面板の上端と断熱壁との間に形成された冷気吹出口より陳列室に冷気を吹き出しており、冷気吹出口が設けられた透明壁とは反対側の陳列室の上面開口の略半分の領域を開閉自在に閉塞する透明扉装置を備え、透明壁が設けられた陳列室の前面上部を常時開放したことを特徴とする。
【００１０】
請求項２の発明は、上記発明において、透明扉装置は、本体に着脱可能に取り付けられていることを特徴とする。
【００１１】
請求項３の発明は、上記各発明において、透明扉装置は、本体に取り付けられた枠体と、この枠体に摺動自在に載置された引き違い式の複数の透明扉板とを有することを特徴とする。
【００１２】
請求項４の発明は、上記請求項１または請求項２の発明において、透明扉装置は、本体に取り付けられた枠体と、陳列室の上面開口の手前側の縁部が枠体に回動自在に枢支された回動式の透明扉板とを有することを特徴とする。
【００１３】
請求項５の発明は、上記請求項１または請求項２の発明において、透明扉装置は、本体に取り付けられた枠体と、透明扉板とを有し、枠体は、引き違い式の複数の透明扉板を摺動自在に載置する使用形態と、回動式の透明扉板の陳列室の上面開口の手前側の縁部を回動自在に枢支する使用形態とを選択的に実施可能とされていることを特徴とする。
【発明の効果】
【００１４】
本発明によれば、断面略コ字状の断熱壁と、この断熱壁の両側を閉塞する側板と、断熱壁の前壁上面に取り付けられた透明壁とで本体が構成され、この本体を構成する断熱壁内に上面が開口する陳列室を備えたショーケースであって、断熱壁の後壁から間隔を存して背面板を取り付け、後壁と背面板とで冷気ダクトを形成し、断熱壁の底部から間隔を存してデッキパンを取り付け、底部とデッキパンの間に冷気ダクトと連通する冷却室を形成し、冷却室に冷却装置を構成する冷却器と送風機を設置し、デッキパンの前端と断熱壁の底壁との間に形成された冷気吸込口から陳列室の冷気を吸い込んで、冷却器と熱交換させた後、背面板の上端と断熱壁との間に形成された冷気吹出口より陳列室に冷気を吹き出しており、冷気吹出口が設けられた透明壁とは反対側の陳列室の上面開口の略半分の領域を開閉自在に閉塞する透明扉装置を備え、透明壁が設けられた陳列室の前面上部を常時開放したので、陳列室前方に収納陳列された商品の顧客自らによる商品の取出性を確保、及び陳列室奥側に陳列収納された商品の視認性を確保しつつ、陳列室の上面開口からの冷気漏洩を著しく低減することができる。
【００１５】
また、ショーケースの手前側に立つ顧客は、当該前壁上面に設けられた透明壁越しに陳列室内を視認することができ、商品の陳列効果を向上させることができる。また、透明壁とは反対側に位置する陳列室の上面開口の略半分の領域を透明扉装置にて開閉自在に閉塞することにより、透明扉装置の閉塞時であっても、顧客は、陳列室手前側の透明壁と透明扉装置との間から陳列室内に手を差し入れて商品を取り出すことが可能となる。
【００１６】
これにより、顧客自らによる商品の取出性に支障を及ぼすことなく、陳列室内の冷気漏洩を効率的に改善することができる。
【００１７】
また、このように、透明扉装置を閉塞することで陳列室の上面開口面積を狭くすることができるため、外乱による影響を著しく低減することができ、陳列室内を低温使用、特に冷凍温度帯にて使用する場合に、従来の構成に比べて著しく冷却効率の向上を図ることができる。これにより、商品の効果的な販売促進を実現しつつ、商品をより効率的に適温範囲にて冷却し、陳列することができる。
【００１８】
更に、当該ショーケースを挟んで対面販売を行う場合、ショーケース後方には位置された販売員は、透明扉装置を開閉することにより、容易に奥側に位置する商品を取り出して、顧客に提供することができ、利便性の向上を図ることができる。
【００１９】
請求項２の発明によれば、上記発明において、透明扉装置は、本体に着脱可能に取り付けられているので、陳列室内に、一度に多くの商品の納出作業を行う場合、透明扉装置を本体から外して行うことにより、作業性の向上を図ることができる。
【００２０】
請求項３の発明によれば、上記各発明において、透明扉装置は、本体に取り付けられた枠体と、この枠体に摺動自在に載置された引き違い式の複数の透明扉板とを有することにより、簡素な構造にて透明扉装置を実現することができる。特に、当該構成によれば、既存の上面開口のショーケースに当該透明扉装置を設けることで本願発明を構成することができ、汎用性の向上を図ることができる。
【００２１】
また、本体に取り付けられた枠体に、透明扉板を摺動自在に載置するのみで構成されているため、取り外し作業が容易であり、陳列室内の清掃が容易となる。
【００２２】
請求項４の発明によれば、上記請求項１または請求項２の発明において、透明扉装置は、本体に取り付けられた枠体と、陳列室の上面開口の手前側の縁部が枠体に回動自在に枢支された回動式の透明扉板とを有するので、当該透明扉板の開口側は、陳列室の奥側となり、対面販売を行う際に、陳列室の奥側に配置された販売員は、支障なく透明扉板を枠体を中心として回動自在に開放させることが可能となる。これにより、陳列室への商品の納出作業性を向上させることが可能となる。
【００２３】
請求項５の発明によれば、上記請求項１または請求項２の発明において、透明扉装置は、本体に取り付けられた枠体と、透明扉板とを有し、枠体は、引き違い式の複数の透明扉板を摺動自在に載置する使用形態と、回動式の透明扉板の陳列室の上面開口の手前側の縁部を回動自在に枢支する使用形態とを選択的に実施可能とされているので、請求項４のような引き違い式の透明扉板を使用する場合と、請求項５のような回動式の透明扉板を使用する場合とで、枠体を兼用することが可能となり、部品コストの削減を図ることが可能となる。
【図面の簡単な説明】
【００２４】
【図１】本発明を適用した冷凍ショーケースの斜視図である。（実施例１）
【図２】図１のショーケースの平面図である。（実施例１）
【図３】図１のショーケースの側面図である。（実施例１）
【図４】図３のＡ−Ａ断面図である。（実施例１）
【図５】他の実施例としての冷凍ショーケースの斜視図である。
【図６】冷凍ショーケースの斜視図である。（実施例２）
【図７】冷凍ショーケースの斜視図である。（実施例２）
【図８】図６の縦断側面図である。（実施例２）
【発明を実施するための形態】
【００２５】
以下、本発明の実施の形態について、図１乃至図４を参照して詳細に説明する。図１は本発明を適用した冷凍ショーケース１の斜視図、図２は図１のショーケース１の平面図、図３は図１のショーケース１の側面図、図４は図３のＡ−Ａ断面図をそれぞれ示している。
【００２６】
ショーケースであるオープン冷凍ショーケース１の本体２は、発泡合成樹脂、例えば硬質の発泡ポリウレタンなどから成る断面略コ字状の断熱壁３と、この断熱壁３の両側を閉塞する側板９、９とから構成されており、この断熱壁３は、上面に開口し、商品収納及び取出用の上面開口４が形成されている。
【００２７】
ここで、断熱壁３は、図４に示すように前壁３Ａよりも後壁３Ｂが高くなるように構成されており、当該断熱壁３の前壁３Ａ上面には、左右に渡って延在して形成される保持板としての透明壁７が設けられている。また、断熱壁３の後壁３Ｂ上面には、左右に渡って延在して形成される保持板８が設けられている。
【００２８】
断熱壁３の内部には、断熱壁３の後壁３Ｂとは間隔を存して、塗装鋼板やステンレスなどの錆びない金属板から成る背面板１０が取り付けられ、当該後壁３Ｂと背面板１０との間には、冷気ダクト１２が形成される。また、断熱壁３の底壁３Ｃの上方には、底壁３Ｃと所定間隔を存してデッキパン１１が取り付けられる。これにより、背面板１０、デッキパン１１、透明壁７及び両側板９、９の内側には、陳列室１３が構成される。
【００２９】
そして、断熱壁３の底壁３Ｃとデッキパン１１との間には、前記冷気ダクト１２と連通する冷却室１２が形成されている。冷却室１２内に位置する断熱壁３の底壁３Ｃ上にはファンケース１５が設置されており、このファンケース１５には図示しない送風機が取り付けられている。当該冷却室１４内には、冷却装置を構成する冷却器１６が設置されている。前記送風機が運転されると冷却器１６と熱交換した冷気はダクト１２内を上昇せられ、背面板１０の上端と断熱壁３との間に形成された冷気吐出口１７より陳列室１３内に吐出される。そして、デッキパン１１の前端と断熱壁３の底壁３Ｃとの間に形成された冷気吸込口１８から吸い込まれた冷気は再び前記送風機によって加速され、陳列室１３内に冷気が循環されて陳列室１３内は所定の冷凍温度に冷却される。
【００３０】
また、断熱壁３の底壁３Ｃの下方には、機械室２０が形成されており、この機械室２０内には、前記冷却器１６と所謂冷凍サイクルを形成する図示しない凝縮器及び圧縮機等が設けられている。また、この凝縮器の後方には、図示しない凝縮器用送風機が取り付けられており、機械室２０前面には、前面グリル２１が形成され、前面グリル２１より吸気され、後方より廃熱が外部に排出される。
【００３１】
次に、実施例１及び実施例２を例に挙げて上述した如き冷凍ショーケース１に取り付けられる透明扉装置について詳述する。
【実施例１】
【００３２】
先ず、実施例１に係る透明扉装置３０について説明する。この透明扉装置３０は、本体２に取り付けられた枠体３１と、この枠体３１に摺動自在に載置された引き違い式の複数、本実施例では、２枚のガラス板等の透明扉板３５、３６とから構成される。
【００３３】
枠体３１は、本体２の左右方向に渡って延在して構成される矩形状の枠部材により構成されており、前記断熱壁３の後壁３Ｂ上面に設けられた保持板８の前端から陳列室１３の上面開口４の前後方向略中央部にまで延在して設けられている。この枠体３１は、左右側端が本体２を構成する側板９、９の上面に載置され、固定部材などによって固定されている。本実施例では、当該固定には、既存のショーケース１においてキャノピーの取付などに用いられていた固定用の孔を用いることにより、既存のショーケース１に容易に当該透明扉装置３０の枠体３１を固定することが可能となる。
【００３４】
そして、この枠体３１の前辺（一辺）３２の後縁部には、左右方向に渡って階段状に形成される複数段、この場合２段の第１のレール３２Ａと第２のレール３２Ｂが上下に渡って形成されている。下側に位置する第２のレール３２Ｂの後端は、上側に位置する第１のレール３２Ａの後端よりも枠体３１内方にまで延在している。
【００３５】
枠体３１の後辺（一辺に対向する辺）３３の前縁部には、同様に、左右に方向に渡って、前記第１のレール３２Ａと対向する位置に、第１のレール３３Ａが形成されると共に、前記第２のレール３２Ｂと対向する位置に、第２のレール３３Ｂが形成されている。この場合、下側に位置する第２のレール３３Ｂの前端は、上側に位置する第１のレール３３Ａの前端よりも枠体３１内方にまで延在している。
【００３６】
そして、この枠体３１には、第１のレール３２Ａ、３３Ａ上に摺動自在に第１の透明扉板３５が載置されると共に、第２のレール３２Ｂ、３３Ｂ上に摺動自在に第２の透明扉板３６が載置される。上述したように各第２のレール３２Ｂ、３３Ｂは、上側に位置する第１のレール３２Ａ、３３Ａよりも枠体３１内方にまで延在して構成されているため、第２の透明扉板３６は、第１の透明扉板３５よりも前後方向の寸法が所定寸法だけ小さく形成されている。
【００３７】
係る構成により、第２の透明扉板３６は枠体３１の下部に位置する第２のレール３２Ｂ、３３Ｂ上に載置され、その後、第１の透明扉板３５が枠体３１の上部に位置する第１のレール３２Ａ、３３Ｂ上に載置することで、容易に各透明扉板３５、３６を枠体３１に設置して、透明扉装置３０を構成することができる。尚、図中、３５Ａ及び３６Ａは、各透明扉板３５、３６の開放側縁部（閉塞時側板９側）に設けられる把手部である。
【００３８】
当該把手部３５Ａ、３６Ａを第１のレール３２Ａ、３３Ａ又は第２のレール３２Ｂ、３３Ｂに沿って摺動させることにより、枠体３１内には、引き違い式の透明扉板３５、３６によって開閉自在に閉塞される。
【００３９】
このように、陳列室１３の上面開口４の奥側一部には、上面開口４後縁から所定寸法、前方に渡って延在する、本実施例では、上面開口４の後縁から略中央部に渡って延在する透明扉装置３０が構成される。そのため、各透明扉板３５、３６が閉塞されている状態では、陳列室１３の上面開口４の開口面積を透明壁７上端から上面開口４の略中央部までに狭くすることができる。
【００４０】
これにより、陳列室１３の上面開口４の奥側一部を透明扉装置３０にて開閉自在に閉塞することで、従来の如く、陳列室１３の上面開口４が全て開放されていた場合に比して、当該冷凍ショーケース１が設置される環境、例えば、空調設備による強制的な空気循環や、周囲を往来する人の流れなどに起因する外乱による影響を著しく低減することができる。特に、本実施例のように陳列室１３内を冷凍温度帯にて使用する場合であっても、従来の構成に比べて著しく冷却効率の向上を図ることができる。
【００４１】
また、透明扉装置３０は透明壁７とは反対側に位置する陳列室１３の上面開口４の略半分の領域を開閉自在に閉塞することにより、冷凍ショーケース１の前方に立った顧客は、前壁３Ａ上面に設けられた透明壁７越しや、上方開放された上面開口４より陳列室１３前部に陳列される商品を視認することができ、透明扉装置３０の各透明扉板３５、３６越しに陳列室１３奥部内に陳列される商品の視認性を確保することができる。これにより、陳列室内の商品陳列効果を向上させることができる。
【００４２】
このとき、当該冷凍ショーケース１において販売員による対面販売が行われる場合には、販売員は本体２の後方に配置し、顧客の要望に応じて、陳列室１３奥部上方に配置された透明扉装置３０の透明扉板３５、３６を開閉することにより、陳列室１３内の商品を取り出し、顧客に提供することができる。利便性の向上を図ることができる。
【００４３】
陳列室１３の前部上方は常時開放されているため、透明扉装置３０が閉塞されている場合にも、顧客は、自ら陳列室１３手前側の透明壁７と透明扉装置３０との間から陳列室１３内に手を差し入れて直接陳列室１３内に陳列された商品を手に取ることができる。そのため、顧客自らによる商品の取出性を確保できることから、従来、陳列室と顧客との間に扉が設けられていることにより、顧客と陳列室１３内の商品との距離に生じていた隔たりを効果的に解消でき、顧客は、陳列室１３内の商品を手に取り易くなり、商品選択機会を増進させることができる。また、陳列室１３の前部上方は、常時開放されていることから、他の顧客が商品選択を行っている場合であっても、支障なく陳列室１３内の商品を手にとることが可能となる。これにより、販売促進効果を向上させることが可能となる。
【００４４】
そのため、本実施例の如き構成とすることで、陳列室１３における商品の効果的な販売促進を実現しつつ、商品をより効率的に適温範囲にて冷却し、陳列することができる。
【００４５】
また、本実施例では、陳列室１３奥部へ商品の納出作業を行う際には、透明扉装置３０と透明壁７との間に形成される上面開口４から手を差し入れて行っても良いが、透明扉装置３０を構成する一方の透明扉板３５又は３６を他方の透明扉板側に摺動させて、透明扉装置３０の枠体３１の一部を開放させて行う。この場合、収納物品を閉塞されている側に摺動された透明扉板３５又は３６上を作業台として使用することもでき、利便性が向上される。
【００４６】
一方、陳列室１３奥部への一度の商品納出量が多い場合には、両透明扉板３５、３６を枠体３１から取り外し、枠体３１の開口全域から行う。本実施例では、各透明扉板３５、３６は、枠体３１に形成された階段状のレール３２Ａ、３２Ｂ、３３Ａ、３３Ｂにより摺動自在に載置されていることから、上側に位置する第１の透明扉板３５を取り外し、その後、下側に位置する第２の透明扉板３６を取り外す。
【００４７】
これにより、一度に多くの商品を納出する際の作業性を著しく向上させることが可能となる。また、各透明扉板３５、３６は、格別な固定具などを使用していないため、載置されているだけの透明扉板３５、３６を取り外すのみで枠体３１内を開放させることができる。そのため、陳列室１３奥部を清掃する際における作業性を簡素化でき、清掃性を向上できる。
【００４８】
このように、本実施例では、透明扉装置３０は、本体２に取り付けられた枠体３１と、この枠体３１に摺動自在に載置された引き違い式の透明扉板３５、３６による簡素な構成にて構造にて実現することができる。特に、当該構成によれば、既存の上面開口のショーケースに当該透明扉装置３０を設けることで本願発明を構成することができ、汎用性の向上を図ることができる。
【００４９】
また、ショーケースの長手方向の寸法が異なる場合、例えば、図１の冷凍ショーケース１よりも所定寸法だけ長い冷凍ショーケース４０の場合には、図５に示すように、陳列室１３の上面開口４の奥側一部を閉塞する透明扉装置４１を備える。この透明扉装置４１は、上記透明扉装置３０と同様に、当該長手寸法に応じて形成された枠体４２（上記実施例の枠体３１と略同様の構成）と、上記実施例における透明扉板３５、３６と、補正用の透明板４３、４４とから構成される。
【００５０】
即ち、枠体４２の両側方には、透明扉板３５、３６にて閉塞しきれない面積を閉塞する透明板４３、４４が嵌め込み式に設けられ、これら透明板４３、４４間に上記透明扉板３５、３６を載置する。これにより、寸法が異なるショーケースであっても、当該透明扉装置を構成することができ、汎用性の拡大を図ることができる。
【実施例２】
【００５１】
次に、図６乃至図８を参照して実施例２に係る透明扉装置５１について説明する。図６は透明扉装置５１を備えた冷凍ショーケース５０の斜視図（扉閉鎖状態）、図７は図６の扉開放状態を示す斜視図、図８は図６の縦断側面図をそれぞれ示している。この透明扉装置５０は、本体２に取り付けられた枠体５２と、この枠体５２に回動自在に枢支された複数、係る実施例では２つの透明扉板５４、５４とから構成されている。
【００５２】
当該枠体５２も上記実施例１における枠体３１と同様に、本体２の左右方向に渡って延在して構成される矩形状の枠部材により構成されており、前記断熱壁３の後壁３Ｂ上面に設けられた保持板８の前端から陳列室１３の上面開口４の前後方向略中央部にまで延在して設けられている。そしてこの場合、枠体３１の内縁には、透明扉板５４縁部を下方から支持して閉塞状態を保持する支持枠５５が形成されている。
【００５３】
この枠体５２の前辺５３には、透明扉板５４、５４の陳列室１３の上面開口４の手前側の縁部である前縁部がヒンジ部材５６、５６によって回動自在に枢支されている。この透明扉板５４の後縁部上面には、当該透明扉板５４を開閉自在に操作する把手部５４Ａである。これにより、透明扉装置５０を構成する枠体５２内が、手前側縁部を中心として回動自在に枢支される各透明扉板５４、５４によってそれぞれ独立して開閉自在に閉塞される。
【００５４】
これにより、陳列室１３の上面開口４の奥側一部には、上面開口４後縁から所定寸法、前方に渡って延在する、係る実施例では、上面開口４の後縁から略中央部に渡って延在する透明扉装置５０が構成される。そのため、各透明扉板５４、５４にて枠体５１内が閉塞されている状態では、陳列室１３の上面開口４の開口面積を透明壁７上端から上面開口４の略中央部までに狭くすることができる。
【００５５】
そのため、陳列室１３の上面開口４の奥側一部を透明扉装置５０にて開閉自在に閉塞することで、上記実施例１と同様、当該実施例においても、外乱による影響を著しく低減することができる。そのため、陳列室１３内を冷凍温度帯にて使用する場合であっても、従来の構成に比べて著しく冷却効率の向上を図ることができる。
【００５６】
また、透明扉装置５０は透明壁７とは反対側に位置する陳列室１３の上面開口４の略半分の領域を開閉自在に閉塞することにより、冷凍ショーケース１の前方に立った顧客は、前壁３Ａ上面に設けられた透明壁７越しや、上方開放された上面開口４より陳列室１３前部に陳列される商品を視認することができ、透明扉装置５０の各透明扉板５４、５４越しに陳列室１３奥部内に陳列される商品の視認性を確保することができる。これにより、陳列室内の商品陳列効果を向上させることができる。
【００５７】
このとき、当該冷凍ショーケース１において販売員による対面販売が行われる場合には、販売員は本体２の後方に配置し、顧客の要望に応じて、陳列室１３奥部上方に配置された透明扉装置５０の透明扉板５４、５４を開閉する（図７の状態）ことにより、陳列室１３内の商品を取り出し、顧客に提供することができる。
【００５８】
この場合において、透明扉板５４、５４は、枠体５２の前辺５３を中心として回動自在に枢支されているため、当該透明扉板５４の開口側は、陳列室１３の奥側となり、対面販売を行う際に、陳列室１３の奥側に配置された販売員は、支障なく透明扉板５４を枠体５２の前辺５３を中心として回動自在に開放させることが可能となる。これにより、ショーケース６０の後方に配置された販売員による商品の納出作業性の向上を図ることができる。また、各透明扉板５４、５４は、それぞれ独立して開閉可能とされているため、販売員は、提供する商品が収納された場所に応じて何れかの透明扉板５４を開放することで、当該商品を陳列室１３から取り出すことができる。これにより、必要以上に、上面開口４の奥側を閉塞する透明扉板５４が開放されて、冷気の漏洩や外乱の影響を受ける不都合を低減することが可能となる。
【００５９】
係る実施例では、上記実施例１と同様、陳列室１３の前部上方は常時開放されているため、対面販売が行われていない場合にも、顧客は、自ら陳列室１３手前側の透明壁７と透明扉装置５０との間から陳列室１３内に手を差し入れて直接陳列室１３内に陳列された商品を手に取ることができる。そのため、顧客自らによる商品の取出性を確保できることから、従来、陳列室と顧客との間に扉が設けられていることにより、顧客と陳列室１３内の商品との距離に生じていた隔たりを効果的に解消でき、顧客は、陳列室１３内の商品を手に取り易くなり、商品選択機会を増進させることができる。また、陳列室１３の前部上方は、常時開放されていることから、他の顧客が商品選択を行っている場合であっても、支障なく陳列室１３内の商品を手にとることが可能となる。これにより、販売促進効果を向上させることが可能となる。
【００６０】
そのため、本実施例の如き構成とすることで、陳列室１３における商品の効果的な販売促進を実現しつつ、商品をより効率的に適温範囲にて冷却し、陳列することができる。
【実施例３】
【００６１】
ここで、上記実施例２の透明扉装置５１では、実施例１の透明扉装置３０の枠体３１とは異なる枠体５２を用いたが、図１乃至図４に示された枠体３１の前辺３２にもヒンジ部材５６、５６は取付可能とされている。従って、実施例２の枠体として実施例１の枠体３１を用いることができ、その場合は、枠体３１の前辺３２に透明扉板５４、５４の陳列室１３の上面開口４の手前側の縁部となる前縁部がヒンジ部材５６、５６によって回動自在に枢支されることになる。そして、枠体３１の第１のレール３２Ａ、３３Ａが枠体５２の支持枠５５の役割を果たし、透明扉板５４、５４の縁部を下方から支持して閉塞状態を保持することになる。
【００６２】
即ち、同一の枠体３１を用いて、実施例１の引き違い式の複数の透明扉板３５、３６を摺動自在に載置する使用形態と、実施例２の回動式の透明扉板５４、５４の陳列室１３の上面開口４の手前側の縁部を回動自在に枢支する使用形態とを選択的に実施可能とされている。これにより、実施例１のような引き違い式の透明扉板３５、３６を使用する場合と、実施例２のような回動式の透明扉板５４、５４を使用する場合とで、枠体３１を兼用することができるようになり、部品コストの削減を図ることが可能となる。
【符号の説明】
【００６３】
１、４０、５０  冷凍ショーケース
２    本体
３    断熱壁
３Ａ  前壁
４    上面開口
７    透明壁
８    保持板
９    側板
１３    陳列室
３０、４１、５１  透明扉装置
３１、４２、５２  枠体
３２    前辺（一辺）
３２Ａ、３２Ｂ、３３Ａ、３３Ｂ  レール
３３    後辺（一辺に対向する辺）
３５、３６、５４  透明扉板
３５Ａ、３６Ａ、５４Ａ  把手部
４３、４４  透明板
５３    手前側縁部
５５    支持枠
５６    ヒンジ部材
【図１】
0005449908.tif 000002
【図２】
0005449908.tif 000003
【図３】
0005449908.tif 000004
【図４】
0005449908.tif 000005
【図５】
0005449908.tif 000006
【図６】
0005449908.tif 000007
【図７】
0005449908.tif 000008
【図８】
0005449908.tif 000009